(57)【要約】【課題】火炎に晒されても複層ガラスの中央付近と外周端部付近とに温度差が生じ難い、合成樹脂製の枠体を備えた防火建具を提供する。【解決手段】２枚の板ガラスを備え室外側に配置される真空複層ガラスと室内側に配置される耐熱強化ガラスとが互いに間隔を隔てて対面し、前記真空複層ガラスと前記耐熱強化ガラスとの間が外周端部にて封止された複合複層ガラス、及び、前記複合複層ガラスを保持する合成樹脂製の枠体、を有する。【選択図】図２
2016176244.tif 000002
【特許請求の範囲】
【請求項１】
２枚の板ガラスを備え室外側に配置される真空複層ガラスと室内側に配置される耐熱強化ガラスとが互いに間隔を隔てて対面し、前記真空複層ガラスと前記耐熱強化ガラスとの間が外周端部にて封止された複合複層ガラス、及び、
前記複合複層ガラスを保持する合成樹脂製の枠体、
を有することを特徴とする防火建具。
【請求項２】
請求項１に記載の防火建具であって、
前記真空複層ガラスがＬｏｗ−Ｅ膜を備えることを特徴とする防火建具。
【請求項３】
請求項１または請求項２に記載の防火建具であって、
前記真空複層ガラスと前記耐熱強化ガラスとの間には、内周側が合成樹脂にて形成され外周側が金属にて形成されたスペーサーが介在されていることを特徴とする防火建具。
【請求項４】
請求項１乃至請求項３のいずれかに記載の防火建具であって、
前記複合複層ガラスの外周面には、アルミニウム製のテープが貼り付けられていることを特徴とする防火建具。
【請求項５】
請求項１乃至請求項４のいずれかに記載の防火建具であって、
前記耐熱強化ガラスがＬｏｗ−Ｅ膜を備えることを特徴とする防火建具。
【請求項６】
請求項１乃至請求項５のいずれかに記載の防火建具であって、
前記枠体は、前記複合複層ガラスの外周端部を収容するガラス収容部と、前記ガラス収容部の外周側に設けられた中空部と、
前記複合複層ガラスの前記外周端部の面外方向の移動を規制する規制金具と、
を有し、
前記規制金具は、前記中空部内に設けられた金属製の補強部材に固定されていることを特徴とする防火建具。
【発明の詳細な説明】
【技術分野】
【０００１】
本発明は、複層ガラスと複層ガラスを保持する合成樹脂製の枠体とを備えた防火建具に関する。
【背景技術】
【０００２】
複層ガラスと複層ガラスを保持する合成樹脂製の枠体を備えた防火建具としては、たとえば、建物の躯体の開口部に組み付けられた合成樹脂製の窓枠と、この窓枠に装着される複層ガラスを備えた複層ガラス窓が知られている（例えば、特許文献１参照）。この複層ガラス窓の複層ガラスは、網入りガラスと耐熱ガラスとそれらの外周端部の内面間にシール材を介して介在されるアルミニウム製のスペーサーとにより密閉空間が形成されるように網入りガラスと耐熱ガラスとが接合されている。
【先行技術文献】
【特許文献】
【０００３】
【特許文献１】特開２０１１−６８７４号公報
【発明の概要】
【発明が解決しようとする課題】
【０００４】
上記のように複層ガラスが合成樹脂製の窓枠（枠体）に組み付けられた建具は、合成樹脂がアルミニウムより熱伝導性が低いため、火災等により火炎に晒されたときに、複層ガラスの外周端部周辺では火炎側から反対側に熱が伝わり難い。一方、複層ガラスは、断熱性を備えてはいるものの、空気層が一層だけなので、複層ガラスの中央付近では外周端部周辺より火炎側から反対側に熱が伝わり易い。このため、上記のような複層ガラス窓の一方の面側が火炎に晒されると他方の面のガラス板は中央付近と外周端部付近とに温度差が生じて損傷する虞があるという課題がある。
【０００５】
本発明は、かかる課題に鑑みてなされたものであり、その目的とするところは、火炎に晒されても複層ガラスの中央付近と外周端部付近とに温度差が生じ難い、合成樹脂製の枠体を備えた防火建具を提供することにある。
【課題を解決するための手段】
【０００６】
かかる目的を達成するために本発明の防火建具は、２枚の板ガラスを備え室外側に配置される真空複層ガラスと室内側に配置される耐熱強化ガラスとが互いに間隔を隔てて対面し、前記真空複層ガラスと前記耐熱強化ガラスとの間が外周端部にて封止された複合複層ガラス、及び、前記複合複層ガラスを保持する合成樹脂製の枠体、を有することを特徴とする防火建具。
である。
【０００７】
このような防火建具によれば、合成樹脂製の枠体に保持される複合複層ガラスは、真空複層ガラスと耐熱強化ガラスとの間に設けられた空間だけでなく、真空複層ガラスが真空層を備えているので、空間を一層のみ備えた複層ガラスより熱の伝導性が低い。このため、火炎に晒されたときに、複合複層ガラスの中央においても火炎側から反対側に熱が伝達されにくい。よって、複合複層ガラスが合成樹脂製の枠体に保持されていたとしても中央付近と外周端部付近にて温度差が生じ難いので、複合複層ガラスの損傷を抑えることが可能である。また、室内側にはフロートガラスなどより許容曲げ応力が大きな耐熱強化ガラスが配置されているので、通常使用時における日射等による損傷も防止することが可能である。
【０００８】
かかる防火建具であって、前記真空複層ガラスがＬｏｗ−Ｅ膜を備えることが望ましい。
このような防火建具によれば、真空複層ガラスが熱線などを反射する性質を有するＬｏｗ−Ｅ膜を備えているので、真空複層ガラスにて熱線が反射されるため熱の伝達をより抑えることが可能である。
【０００９】
かかる防火建具であって、前記真空複層ガラスと前記耐熱強化ガラスとの間には、内周側が合成樹脂にて形成され外周側が金属にて形成されたスペーサーが介在されていることが望ましい。
このような防火建具によれば、真空複層ガラスと耐熱強化ガラスとの間に介在されるスペーサーが、内周側が合成樹脂、外周側が金属で形成されている。このため、合成樹脂の部位により真空複層ガラスと耐熱強化ガラスとの間の空気層の断熱性を保ちつつ、熱の伝わり難い枠体側となる外周側では金属の部位から火炎側の熱が反対側に伝達されるので、複合複層ガラスの中央付近と外周端部付近にて生じる温度差を小さく抑えることが可能である。
【００１０】
かかる防火建具であって、前記複合複層ガラスの外周面には、アルミニウム製のテープが貼り付けられていることが望ましい。
このような防火建具によれば、複合複層ガラスの外周面に貼り付けられたアルミニウム製のテープによっても複合複層ガラスの外周側で火炎側の熱が反対側に伝達されるので、複合複層ガラスの中央付近と外周端部付近にて温度差が生じることを抑えることが可能である。
【００１１】
かかる防火建具であって、前記耐熱強化ガラスがＬｏｗ−Ｅ膜を備えることが望ましい。
このような防火建具によれば、耐熱強化ガラスが、熱線などを反射する性質を有するＬｏｗ−Ｅ膜を備えているので、真空複層ガラスが備えるＬｏｗ−Ｅガラスとともに複合複層ガラスのいずれの面側においても熱線が反射されるので、より確実に熱の伝達を抑えることが可能である。
【００１２】
かかる防火建具であって、前記枠体は、前記複合複層ガラスの外周端部を収容するガラス収容部と、前記ガラス収容部の外周側に設けられた中空部と、前記複合複層ガラスの前記外周端部の面外方向の移動を規制する規制金具と、を有し、前記規制金具は、前記中空部内に設けられた金属製の補強部材に固定されていることが望ましい。
【００１３】
このような防火建具によれば、ガラス収容部内にて複合複層ガラスの外周端部の面外方向の移動を規制する規制金具は、ガラス収容部の外周側に設けられた中空部内の金属製の補強部材に固定されているので、たとえ合成樹脂製の枠体が火炎等により溶融したとしても複合複層ガラスが外れることを防止することが可能である。
【発明の効果】
【００１４】
本発明によれば、火炎に晒されても複層ガラスの中央付近と外周端部付近とに温度差が生じ難い、合成樹脂製の枠体を備えた防火建具を提供することが可能である。
【図面の簡単な説明】
【００１５】
【図１】本実施形態の防火建具を示す斜視図である。
【図２】本実施形態の防火建具の下部を示す縦断面図である。
【図３】複合複層ガラスの第一変形例を示す断面図である。
【図４】複合複層ガラスの第二変形例を示す断面図である。
【発明を実施するための形態】
【００１６】
以下、本発明の一実施形態に係る防火建具について図面を参照して説明する。
本実施形態では、例えば、図１に示すようなＦＩＸ窓用の防火建具１を例に挙げて説明する。
【００１７】
以下の説明においては、建物等に取り付けられた状態の防火建具１を、室外側から見たときに、上下となる方向を上下方向、左右となり防火建具１の幅をなる方向を左右方向または幅方向、室内外方向である奥行き方向を見込み方向として示す。防火建具１の各部位であっても、また、防火建具１を構成する各部材については単体の状態であっても、建物等に取り付けられた状態にて上下方向、左右方向、見込み方向となる方向にて方向を特定して説明する。
【００１８】
本実施形態の防火建具１は、３枚のガラス板を用いて形成され後述する複合複層ガラス１０と、複合複層ガラス１０の外周端部１０ａを収容して保持する枠体２と、を有している。
【００１９】
複合複層ガラス１０は、一方の面にＬｏｗ−Ｅ膜１２ａを備えるＬｏｗ−Ｅガラス１２とフロートガラス１３との間に真空層を備えて一体に形成された真空複層ガラス１１と、耐熱強化ガラス１４とが外周部にスペーサー１５を介して対面されており、スペーサー１５の外周側がシーリング剤１８により封止されて形成されている。ここで、耐熱強化ガラス１４はガラスエッジにおいて、同じ厚みのフロートガラスに対して約６倍以上、強化ガラスに対して約２倍の短期許容曲げ応力を有したガラスを示している。
【００２０】
真空複層ガラス１１は、Ｌｏｗ−Ｅガラス１２のＬｏｗ−Ｅ膜１２ａ側の面とフロートガラス１３とが、それらの間に複数のマイクロスペーサー（不図示）が適宜配置されて、例えば０．２ｍｍの間隔を隔てるとともに、Ｌｏｗ−Ｅガラス１２とフロートガラス１３との間の空間を減圧状態にして外周部分がシーリング剤（不図示）により封止されて形成されている。
【００２１】
真空複層ガラス１１と耐熱強化ガラス１４との間に介在されるスペーサー１５は、複合複層ガラス１０の外周縁側に配置されるステンレス製の金属部材１７と、その内周側に配置される合成樹脂製の樹脂部材１６とが嵌合されて、内部に複合複層ガラス１０の各辺に沿う中空部１５ａを備えている。中空部１５ａ内には真空複層ガラス１１と耐熱強化ガラス１４との間の空間を乾燥させるべく乾燥剤６が設けられている。
【００２２】
複合複層ガラス１０は、真空複層ガラス１１のフロートガラス１３側の面と耐熱強化ガラス１４とを対面させ、その外周端部１０ａの縁から僅かに内周側に位置させて全周に亘ってスペーサー１５が介在されており、その外周側にシーリング剤１８が充填され、更にその外周面１０ｂに、アルミニウム製のテープ１９が貼り付けられて被覆されている。このとき、アルミニウム製のテープ１９は、複合複層ガラス１０の室内側の面の端部から室外側の面の端部に至るように貼り付けられている。
【００２３】
複合複層ガラス１０は、例えば、厚みが各々約３ｍｍのＬｏｗ−Ｅガラス１２とフロートガラス１３とにより真空複層ガラス１１を形成し、約１０．６ｍｍの間隔を隔てて厚みが５ｍｍの耐熱強化ガラス１４が配置されて形成されている。このため、３枚のガラス１２、１３、１４を用いていても、例えば厚みが約６ｍｍのＬｏｗ−Ｅガラスと網入りガラスとで形成される一般的な複層ガラスと、厚みに大差がないので、一般的な複層ガラスと付け替えて使用することが可能である。すなわち、新たな枠体を必要としないので、コストを低減することが可能である。
【００２４】
枠体２は、合成樹脂製の押出成型材でなる枠部材３を適宜長さにて切断した４本の枠部材３を矩形状に枠組みして形成され、複合複層ガラス１０を保持するための押縁４を有している。４本の枠部材３は、端部が長手方向に対して４５度をなすように斜めに切断され、互いに隣接する枠部材３の端部同士を突き合わされて溶着されている。
【００２５】
４本の枠部材３は、断面形状が同一であり複合複層ガラス１０の外周端部１０ａを収容している状態もほぼ同様なので、枠体２を構成する各枠部材３の構造については、複合複層ガラス１０の下側に配置されて下端を収容する下側の枠部材３を例に挙げて説明する。以下の説明においては、各枠部材３に共通するように、４本の枠部材３が矩形状に枠組みされた状態で、枠体２に囲まれた空間側を内周側、反対側を外周側として説明する。すなわち、下側の枠部材３の上側が内周側に相当し、下側が外周側に相当する。
【００２６】
下側の枠部材３は、長手方向に沿う中空部３ａを有する枠部材本体部３ｂと、枠部材本体部３ｂの室内側の部位から内周側に突出する内周突出部３ｃと、枠部材本体部３ｂと内周突出部３ｃとの境界部から室内側に延出された室内延出部３ｄと、枠部材本体部３ｂの室外側の外周側の部位から室外側に突出する室外突出部３ｅと、枠部材本体部３ｂの見込み方向における中央近傍から外周側に延出されて躯体に固定されるヒレ状の躯体固定部３ｆと、を有している。枠部材本体部３ｂの内周面の室外側には、外周側に窪み押縁４が嵌合される押縁嵌合部３ｇが設けられている。
【００２７】
押縁嵌合部３ｇに嵌合された押縁４と、枠部材本体部３ｂの上面３ｈと、内周突出部３ｃの室外側の部位とにより形成される凹部が、複合複層ガラス１０の外周端部１０ａが収容されるガラス収容部３ｉをなしている。
【００２８】
各枠部材３の中空部３ａ内には、長手方向に沿ってアルミニウム製の押出成型材でなる補強部材２２が各々設けられており、隣接する補強部材２２同士は端部にて互いに接合されている。
【００２９】
複合複層ガラス１０は、下側の枠部材３における枠部材本体部３ｂ上に配置されたセッティングブロック２０の上に載置されて室内側の面の下端部が内周突出部３ｃと対向するように配置され、室外側の押縁嵌合部３ｇに押縁４が嵌合されて枠体２に保持される。枠部材３の長手方向におけるセッティングブロック２０の幅は、下側の枠部材３に設けられたガラス収容部３ｉの幅より十分に狭く形成されており、ガラス収容部３ｉの幅方向には互いに間隔を隔てて複数配置されている。
【００３０】
各枠部材３のガラス収容部３ｉ内には、断面がほぼＬ字状をなす鋼板製の規制金具２１が設けられている。枠部材３の長手方向における規制金具２１の幅は、各枠部材３に設けられたガラス収容部３ｉの幅より十分に狭く形成されており、ガラス収容部３ｉの幅方向には互いに間隔を隔てて複数配置されている。
【００３１】
断面がＬ字状をなす規制金具２１の一方の板部２１ａは、枠部材本体部３ｂの上面３ｈと対面させて載置され中空部３ａ内に設けられた補強部材２２とビスにより接合されている。一方の板部２１ａの室外側の縁にて繋がった他方の板部２１ｂは、複合複層ガラス１０の外周端部１０ａと見込み方向において対向するように上方に向かって立設するように配置されている。このため、複合複層ガラス１０は、四辺において各々設けられた規制金具２１により室外側への移動が規制され、規制金具２１と内周突出部３ｃとにより保持されているので、例え押縁４が外れても複合複層ガラス１０は枠体２側に保持される。
【００３２】
本実施形態の防火建具１によれば、合成樹脂製の枠体２に保持される複合複層ガラス１０は、真空複層ガラス１１と耐熱強化ガラス１４とを互いに間隔を隔てて対面させて構成されているので、真空複層ガラス１１と耐熱強化ガラス１４との間に設けられた空間だけでなく、真空複層ガラス１１が真空層を備えているので、空間を一層のみ備えた複層ガラスより熱の伝導性が低い。すなわち、火炎に晒されたときに、複合複層ガラス１０の中央においても火炎側から反対側に熱が伝達されにくいので、複合複層ガラス１０が合成樹脂製の枠体２に保持されていたとしても中央付近と外周端部１０ａ付近にて温度差が生じ難い。このため、複合複層ガラス１０の温度差による損傷を抑えることが可能である。
【００３３】
また、真空複層ガラス１１は、熱線などを反射する性質を有するＬｏｗ−Ｅ膜１２ａを備えるＬｏｗ−Ｅガラス１２を有しているので、真空複層ガラス１１のＬｏｗ−Ｅ膜１２ａにより熱線が反射されるため熱の伝達をより抑えることが可能である。
また、室内側にはフロートガラスなどよりも許容曲げ応力が大きな耐熱強化ガラス１４が配置されているので、通常使用時における日射等による損傷も防止することが可能である。
【００３４】
また、真空複層ガラス１１と耐熱強化ガラス１４との間に介在されるスペーサー１５が、内周側に樹脂部材１６が配置され外周側に金属部材１７が配置されている。このため、樹脂部材１６により真空複層ガラス１１と耐熱強化ガラス１４との間の空間の断熱性を保ちつつ、熱の伝わり難い枠体２側となる外周側では金属部材１７から火炎側の熱が反対側に伝達されるので、複合複層ガラス１０の中央付近と外周端部１０ａ付近にて温度差が生じることを抑えることが可能である。
【００３５】
また、複合複層ガラス１０の外周面１０ｂに貼り付けられたアルミニウム製のテープ１９によっても複合複層ガラス１０の外周側で火炎側の熱が反対側に伝達されるので、複合複層ガラス１０の中央付近と外周端部１０ａ付近にて生じる温度差を小さく抑えることが可能である。
【００３６】
また、ガラス収容部３ｉ内にて複合複層ガラス１０の外周端部１０ａの面外方向の移動を規制する規制金具２１は、ガラス収容部３ｉの外周側に設けられた中空部３ａ内の矩形状に繋がった金属製の補強部材２２に固定されているので、たとえ合成樹脂製の枠体２が火炎等により溶融したとしても複合複層ガラス１０が外れることを防止することが可能である。
【００３７】
上記実施形態においては、ＦＩＸ窓用の防火建具１を例に挙げて説明したが、これに限らず、引違い窓用の建具、辷り出し窓用の建具、開き窓用の建具など、複層ガラスと複層ガラスを保持する合成樹脂製の枠体を備えた建具であれば構わない。このため、枠体２は、躯体に固定される枠に限らず、障子を構成する框であっても構わない。このとき、上記実施形態のように、ＦＩＸ窓用の防火建具１の場合には、複合複層ガラス１０を現場にて枠体２に取り付けることを想定しているため、複合複層ガラス１０の室内側面をガスケットにより保持することとしたが、複合複層ガラス１０を框に備える場合には、室内側面と框とは接着してもよい。
【００３８】
上記実施形態においては、真空複層ガラス１１のＬｏｗ−Ｅガラス１２のみがＬｏｗ−Ｅ膜１２ａを備えている例について説明したが、たとえば、図３に示すように、耐熱強化ガラス１４の室外側の面にＬｏｗ−Ｅ膜１４ａを備えていてもよい。この場合には、耐熱強化ガラス１４も熱線などを反射する性質を有するＬｏｗ−Ｅ膜１４ａを備えているので、真空複層ガラス１１が備えるＬｏｗ−Ｅガラス１２とともに複合複層ガラス１０のいずれの面側においても熱線が反射されるので、より確実に熱の伝達を抑えることが可能である。
上記実施形態においては、枠部材３の中空部３ａに設けられた補強部材２２をアルミニウム製としたが、これに限らず鉄やステンレス等であっても構わない。
【００３９】
上記実施形態においては、真空複層ガラス１１と耐熱強化ガラス１４との間に介在させたスペーサー１５を樹脂部材１６と金属部材１７とにより構成する例について説明したが、これに限らず、例えば、図４に示すように、長手方向に貫通する中空部を有するアルミニウム製の中空棒状部材２３の中空部に乾燥剤６を備える形態であっても構わない。
【００４０】
また、上記実施形態においては、複合複層ガラス１０の外周面１０ｂにアルミニウム製のテープ１９を貼り付けて被覆する例について説明したが、必ずしもテープ１９は設けなくとも構わない。
【００４１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４２】
１  防火建具、２  枠体、３  枠部材、３ａ  中空部、３ｉ  ガラス収容部、
１０  複合複層ガラス、１０ａ  外周端部、１０ｂ  外周面、１１  真空複層ガラス、
１２  Ｌｏｗ−Ｅガラス、１２ａ  Ｌｏｗ−Ｅ膜、１３  フロートガラス、
１４  耐熱強化ガラス、１４ａ  Ｌｏｗ−Ｅ膜、１５  スペーサー、１６  樹脂部材、
１７  金属部材、１９  アルミニウム製のテープ、２１  規制金具、２２  補強部材、
２３  中空棒状部材、
【図１】
2016176244.tif 000003
【図２】
2016176244.tif 000004
【図３】
2016176244.tif 000005
【図４】
2016176244.tif 000006